(57)【要約】【課題】中枠における側部の肉厚を薄くした場合であっても、該中枠に必要な強度を保ち得ると共に、重量が増大した各種構成部材を中枠に確実に支持し得る遊技機を提供する。【解決手段】遊技盤を着脱自在に保持する中枠２１を、外枠１１に対し開閉可能に枢支し、該中枠２１の内側面２５ｃに、遊技盤を保持する第１の保持具６２を配設すると共に、中枠２１の前面に、各種構成部材を開閉可能に枢支する第１〜第３の連結金具３１,４１,４５を配設する。そして、中枠２１の裏面に対向する第１面５２および、第１の保持具６２の配設位置に対応する中枠２１の外側面に対向する第２面５３から略Ｌ字状に形成した金属補強板５１を中枠２１に配置したもとで、第１面５２と第１〜第３の連結金具３１,４１,４５、および第２面５３と第１の保持具６２をネジ６６を介して連結固定する。【選択図】図１
2005073929.tif 000002
【特許請求の範囲】
【請求項１】
外郭をなす外枠と、ヒンジ機構を介して前記外枠に対し開閉可能に枢支される中枠と、前記中枠の一方の側部の前面に配設され、各種構成部材を該中枠に開閉可能に枢支する連結金具と、前記中枠の一方の側部の裏面に配設される金属補強板とを備えた遊技機において、
前記中枠を挟む前記金属補強板と前記連結金具を、固定具で連結固定するようにした
ことを特徴とする遊技機。
【請求項２】
外郭をなす外枠と、ヒンジ機構を介して前記外枠に対し開閉可能に枢支され、前後に開口させた保持部に遊技盤を着脱自在に保持する中枠と、前記中枠の内側面に配設されて前記遊技盤を保持する保持用金具と、前記中枠に配設される金属補強板とを備えた遊技機において、
前記金属補強板を、前記保持用金具の配設位置に対応する前記中枠の外側面に配設し、
前記中枠を挟む前記金属補強板と保持用金具とを、固定具で連結固定するようにした
ことを特徴とする遊技機。
【請求項３】
外郭をなす外枠と、ヒンジ機構を介して前記外枠に対し開閉可能に枢支され、前後に開口させた保持部に遊技盤を着脱自在に保持する中枠と、前記中枠の内側面に配設されて前記遊技盤を保持する保持用金具と、前記中枠の一方の側部の前面に配設され、各種構成部材を該中枠に開閉可能に枢支する連結金具と、前記中枠に配設される金属補強板とを備えた遊技機において、
前記金属補強板は、前記中枠の一方の側部の裏面に対向する第１面および、前記保持用金具の配設位置に対応する該中枠の外側面に対向する第２面から略Ｌ字状に形成されて、
前記中枠を挟む前記金属補強板の第１面と連結金具を、第１の固定具で連結固定すると共に、該金属補強板の第２面と保持用金具を、第２の固定具により連結固定するようにした
ことを特徴とする遊技機。
【発明の詳細な説明】
【技術分野】
【０００１】
本発明は、遊技機に関し、中枠の裏側に金属補強板を配設して、該中枠を補強するようにした遊技機に関するものである。
【背景技術】
【０００２】
パチンコ機やアレンジボール機等の遊技機では、外郭をなす外枠に対し、着脱および開閉可能に中枠が組み付けられると共に、該中枠の前側にガラス板を備えた前枠(構成部材)がヒンジ金具を介して開閉自在に枢支され、中枠に開設した保持部を介して所要の遊技領域を画成した遊技盤が、ガラス板を介して外部から視認し得る状態で保持されている。また、前記遊技盤には、図柄を可変表示し得る図柄表示装置や、該図柄表示装置の変動開始条件としての始動入賞具が配設されて、前記遊技領域に打ち出されたパチンコ球が前記始動入賞具に入球することにより、図柄表示装置の図柄を可変表示して所要の遊技演出を行なうよう構成される。
【０００３】
ところで、近年は遊技者の興味をより強く惹き付けるため、前記図柄表示装置を大型化して遊技演出の迫力やインパクトを向上するようになってきている。しかし、前記図柄表示装置を大型化した場合には、遊技演出の迫力やインパクトを向上し得る反面、遊技盤の遊技領域が狭くなってパチンコ球が流下し得る範囲が狭くなり、パチンコ球の複雑で予測し得ない動きによる面白みが減少してしまう。そこで、前記遊技盤に大型の図柄表示装置を配設し、かつ十分な広さの遊技領域を確保するためには、該遊技盤自体を大型化する必要がある。この場合には、前記中枠も大型化、すなわちパチンコ機自体を大型化して前記保持部を大きくすることになるが、パチンコ遊技場において、パチンコ機を設置する設置台(所謂、島)の大きさは既に決まっているため、パチンコ機を大型化した場合には既存の設置台を変更しなければならず現実的ではない。
【０００４】
従って、遊技盤を大型化する場合には、前記中枠の大きさを維持したまま大きな保持部を開設しなければならない。しかし、この場合には必然的に中枠の側部および上部の肉厚は小さくなるから、該中枠の強度が低下して反りや捻れ等が生ずる畏れがある。そこで、前記中枠に補強用の部材を配設して中枠の強度を高めるようにした遊技機が提案されている(例えば、特許文献１参照)。この特許文献１では、外枠に開閉可能に枢支された中枠(特許文献１における前枠)の縦フレームの後面に、金属等で形成された高剛性部材をネジ止めあるいは接着剤等により固定し、側部の肉厚を小さくした中枠に十分な剛性を付与している。
【特許文献１】特開２００１−２９３１９８号公報
【発明の開示】
【発明が解決しようとする課題】
【０００５】
前記中枠は、重量的なメリットの大きい合成樹脂製や木製のものが一般的に利用される。このように、合成樹脂製や木製の中枠に前記補強用の部材をネジ止めした場合には、中枠に形成したネジ孔が損傷し易く、ネジが緩む畏れがある。この場合には、前記中枠に所要の剛性が得られず、反りや捻れ等が生ずる欠点を内在している。また、補強用の部材を中枠に接着した場合であっても、時間の経過と共に接着剤が劣化し、補強用の部材と中枠とが分離する畏れがある。なお、前記中枠の成形時に、補強用部材を内部に埋め込む、所謂インサート成形であれば、該中枠と補強用の部材との固定が緩むのは防止されるが、成形工程が複雑になり、コストが増大する難点が指摘される
【０００６】
ところで、近年は、前記中枠の前側に配置した前記前枠等に、多数のランプやスピーカ等を配設して、パチンコ機の装飾性や演出面の向上を図るよう構成されたものが多数提案されている。このように、前記前枠にランプやスピーカ等を配設すると、該前枠の重量が従来に較べ大きくなる。また、前述の如く遊技領域を拡大した場合には、該遊技領域の全域を前側から視認し得るよう構成する必要があり、前記前枠に取り付ける前記ガラス板を大きくしなければならず、前枠の重量が一層嵩むため、該前枠を枢支する前記中枠には、より高い強度が求められる。しかし、前記遊技盤を大型化した場合には、前記中枠の側部の肉厚も小さくなるため、強度が低下することになる。また、前記前枠は、前記中枠に対して直接ネジ止めされたヒンジ金具(連結金具)を介して回動自在に枢支されており、前記前枠の重量が増大すると中枠に反りや捻れまたは破損等が生じ易くなる難点がある。
そこで、本発明は、中枠における側部の肉厚を薄くした場合であっても、該中枠に必要な強度を保ち得ると共に、重量が増大した各種構成部材を中枠に確実に支持し得る遊技機を提供することを目的とする。
【課題を解決するための手段】
【０００７】
前記課題を克服し、所期の目的を達成するため、本発明に係る遊技機は、
外郭をなす外枠(11)と、ヒンジ機構(17)を介して前記外枠(11)に対し開閉可能に枢支される中枠(21)と、前記中枠(21)の一方の側部の前面に配設され、各種構成部材(70,71)を該中枠(21)に開閉可能に枢支する連結金具(31,41,45)と、前記中枠(21)の一方の側部の裏面に配設される金属補強板(51)とを備えた遊技機において、
前記中枠(21)を挟む前記金属補強板(51)と前記連結金具(31,41,45)を、固定具(66)で連結固定するようにしたことを特徴とする。
【０００８】
また、前記課題を克服し、所期の目的を達成するため、本願の別の発明に係る遊技機は、
外郭をなす外枠(11)と、ヒンジ機構(17)を介して前記外枠(11)に対し開閉可能に枢支され、前後に開口させた保持部(23)に遊技盤(73)を着脱自在に保持する中枠(21)と、前記中枠(21)の内側面(25c)に配設されて前記遊技盤(73)を保持する保持用金具(62)と、前記中枠(21)に配設される金属補強板(51)とを備えた遊技機において、
前記金属補強板(51)を、前記保持用金具(62)の配設位置に対応する前記中枠(21)の外側面(25d)に配設し、
前記中枠(21)を挟む前記金属補強板(51)と保持用金具(62)とを、固定具(67)で連結固定するようにしたことを特徴とする。
【０００９】
更に、前記課題を克服し、所期の目的を達成するため、本願の更に別の発明に係る遊技機は、
外郭をなす外枠(11)と、ヒンジ機構(17)を介して前記外枠(11)に対し開閉可能に枢支され、前後に開口させた保持部(23)に遊技盤(73)を着脱自在に保持する中枠(21)と、前記中枠(21)の内側面(25c)に配設されて前記遊技盤(73)を保持する保持用金具(62)と、前記中枠(21)の一方の側部の前面に配設され、各種構成部材(70,71)を該中枠(21)に開閉可能に枢支する連結金具(31,41,45)と、前記中枠(21)に配設される金属補強板(51)とを備えた遊技機において、
前記金属補強板(51)は、前記中枠(21)の一方の側部の裏面に対向する第１面(52)および、前記保持用金具(62)の配設位置に対応する該中枠(21)の外側面(25d)に対向する第２面(53)から略Ｌ字状に形成されて、
前記中枠(21)を挟む前記金属補強板(51)の第１面(52)と連結金具(31,41,45)を、第１の固定具(66)で連結固定すると共に、該金属補強板(51)の第２面(53)と保持用金具(62)を、第２の固定具(67)により連結固定するようにしたことを特徴とする。
【発明の効果】
【００１０】
本発明の請求項１に係る遊技機によれば、各種構成部材を中枠に対して開閉可能に枢支する連結金具を、中枠を挟んだ状態で金属補強板に連結固定するようにしたから、該構成部材の重量が増大した場合であっても、中枠が損傷等するのは防止される。また、前記中枠の側部に金属補強板を配設することにより、この側部の肉厚を小さくした場合でも、該中枠に必要な強度を維持することが可能である。すなわち、前記中枠に反りや捻れ等が生ずるのは防止される。
【００１１】
更に、請求項２に係る遊技機によれば、金属補強板と保持用金具とを連結固定することで、該金属補強板を強固に固定して中枠に必要な強度を維持することが可能である。すなわち、前記保持用金具にガタツキ等が生ずるのは防止し得るから、遊技盤を安定して保持することが可能である。また前記中枠の側部に金属補強板を配設することにより、この側部の肉厚を小さくした場合でも、該中枠に必要な強度を維持することが可能である。すなわち、前記中枠に反りや捻れ等が生ずるのは防止される。
【００１２】
そして、本願の請求項３に係る遊技機によれば、各種構成部材を中枠に対して開閉可能に枢支する連結金具を、中枠を挟んだ状態で金属補強板に連結固定するようにしたから、該構成部材の重量が増大した場合であっても、中枠が損傷等するのは防止される。また、前記中枠の側部に金属補強板を配設することにより、この側部の肉厚を小さくした場合でも、該中枠に必要な強度を維持することが可能である。すなわち、前記中枠に反りや捻れ等が生ずるのは防止される。更に、金属補強板と保持用金具とを固定することで、該金属補強板を強固に固定して中枠に必要な強度を維持することが可能である。従って、前記保持用金具にガタツキ等が生ずるのは防止し得るから、遊技盤を安定して保持することが可能である。更にまた金属補強板を略Ｌ字状に形成することで、該金属補強板の剛性が向上されるから、中枠の強度をより一層向上し得る。
【発明を実施するための最良の形態】
【００１３】
前後に開口させた保持部に遊技盤を着脱自在に保持する中枠を、ヒンジ機構を介して外枠に対し開閉可能に枢支し、該中枠の内側面に、遊技盤を保持する保持用金具を配設すると共に、中枠の一方の側部の前面に、各種構成部材を開閉可能に枢支する連結金具を配設する。そして、前記中枠の一方の側部の裏面に対向する第１面および、前記保持用金具の配設位置に対応する該中枠の外側面に対向する第２面から略Ｌ字状に形成した金属補強板を中枠に配置したもとで、前記第１面と前記連結金具を第１の固定具を介して連結固定すると共に、前記第２面と前記保持用金具を第２の固定具を介して連結固定する。
【実施例】
【００１４】
次に本発明に係る遊技機につき、好適な実施例を挙げて、添付図面を参照しながら以下詳細に説明する。なお本実施例では、遊技機として、パチンコ球を遊技媒体として使用する一般的なパチンコ機を例にして説明する。なお、以下の説明において左・右とは、特に断りのない限り、図２に示すようにパチンコ機１０を正面から見た状態において指称するものとする。
【００１５】
(パチンコ機について)
本実施例のパチンコ機１０は、その基本的構成の概要として図３に略示するように、上下および左右の４本の枠部材１２,１３,１４,１５が枠組み連結されて外郭をなす外枠１１が構成され、該外枠１１の開口前面側に、各種の部品７０,７１,７２,７３,７４をセットする縦長方形の中枠２１が、第１の連結支持手段(ヒンジ機構)１７および施錠手段２０を利用して横開き形態で開閉および着脱可能に組み付けられている。そして、この中枠２１の前面側に、遊技盤７３(図９参照)の透視保護窓である前枠(構成部材)７０と、パチンコ球を貯留する上球皿(構成部材)７１とが第２および第３の連結支持手段１８,１９(後述)を利用して横開き形態で開閉可能に組み付け整合される。また、中枠２１における上球皿７１の配設位置より下部前面側に下球皿(構成部材)７２および打球発射装置における打球操作部７４等が装着セットされ、更に中枠２１の裏側に各種の球経路および球処理・払出部等を備えた機構セット盤(図示せず)がセットされ、これにより一台のパチンコ機１０が形成される。
【００１６】
(外枠について)
図３に示すように、前記外枠１１の上枠部材１２には、前記第１の連結支持手段１７を構成する上支持受具１２ａが配設されており、該上支持受具１２ａに下向きに形成した上支軸１２ｂを、前記中枠２１に配設した第１の連結金具３１(後述)の第１軸孔３５ａに挿通するようになっている。同様に、前記外枠１１の下枠部材１３には、前記第１の連結支持手段１７を構成する下支持受具１３ａが配設されており、該下支持受具１３ａに上向きに形成した下支軸１３ｂを、前記中枠２１に配設した後述する第２の連結金具４１の軸孔４３ａに挿通するよう構成される。
【００１７】
(中枠について)
前記中枠２１は、全体が合成樹脂により前記外枠１１の開口領域に整合する外形サイズに成形されて、図１、図４または図５に示すように、遊技盤７３を保持する遊技盤保持部２３を開設した枠本体２２と、該遊技盤保持部２３の下部に設けられて前記上球皿７１が組み付けられる遊技補助盤２８と、該遊技補助盤２８の下部に位置して下球皿７２が組み付けられる設置盤２７とから構成される。そして、前記中枠２１(枠本体２２)の前面における左上端部に前記第１の連結金具３１が配設されると共に、該中枠２１(設置盤２７)の前面における左下端部に前記第２の連結金具４１が配設されている。また、前記中枠２１の前面における前記遊技補助盤２８の左側部には、前記前枠７０の下端部および前記上球皿７１を開閉自在に枢支する第３の連結金具４５(後述)が配置される。
【００１８】
(第１の連結金具について)
図１、図６(a)または図６(b)に示すように、前記第１の連結金具３１は、中枠２１(枠本体２２)に当接する第１取付面３２と、該第１取付面３２の上端縁から前方に折り曲げ形成された第１水平片部３３とから略Ｌ字状に成形されて、後述する金属補強板５１にネジ止めされる。また、前記第１水平片部３３の左端前縁には半円庇状の受け片部３４が水平前向きに延出形成され、この受け片部３４に、前記上支軸１２ｂを挿入し得る前記第１軸孔３５ａを上方および後方に開口させた軸受片３５がカシメ付けにより強固に固定されている。また、前記第１水平片部３３の所定位置に支ピン３６が垂立固定されて、該支ピン３６に前記第１軸孔３５ａの後方開口を開閉可能な開閉部材３７を枢支してある。なお、前記開閉部材３７は、前記第１水平片部３３および受け片部３４の上面で旋回動し得るハンドルレバー形式であって、バネ(図示せず)により常には前記第１軸孔３５ａの後方開口を閉成する閉鎖位置側に付勢されており(図６(a)参照)、該開閉部材３７の回動により該第１軸孔３５ａの後方開口が開放する開放位置へ変位して、前記上支軸１２ｂを第１軸孔３５ａに挿入し得るようになっている。
【００１９】
また、前記開閉部材３７の左外側縁には、前記外枠１１の上支軸１２ｂを当接案内し得る円弧状の案内面３９(図６(a)参照)が形成されており、中枠２１の外枠１１への組み付けに際し、該上支軸１２ｂに案内面３９を押圧するよう該中枠２１を外枠１１に近接することで、前記開閉部材３７が前記閉鎖位置から開放位置に変化して上支軸１２ｂが第１軸孔３５ａに挿入される。すなわち、前記第１の連結金具３１は、前記外枠１１に対し前記中枠２１を枢支する第１の連結支持手段１７として機能するようになっている。なお、前記第１水平片部３３の下面側には、下方に開口する第２軸孔３３ａが形成されており、前記前枠７０の左上端部に上方に向け突設した支軸７０ａ(図１３参照)が該第２軸孔３３ａに挿通される。
【００２０】
また、前記第１取付面３２には、図６(b)に示すように、左右方向に所要間隔離間する位置に前後に貫通する第１の通孔３２ａ,３２ａが穿設される一方、前記中枠２１(枠本体２２)の左上端部には、該第１の通孔３２ａ,３２ａと対応する位置に、前後方向に貫通する第１の貫通孔２２ｂ,２２ｂを穿設してある。そして、前記第１の連結金具３１の前側から前記第１の通孔３２ａ,３２ａに挿通した金属製のネジ(第１の固定具)６６,６６を、前記第１の貫通孔２２ｂ,２２ｂに挿通すると共に、前記金属補強板５１に形成した後述する第１のネジ孔５６ａ,５６ａに螺挿することにより、第１の連結金具３１を中枠２１の左上端部に固定するようになっている。
【００２１】
なお、図１または図４に示すように、前記枠本体２２における左上端部には、前記第１の連結金具３１の第１取付面３２に略合致する第１凹部２２ａが凹設されており、該第１取付面３２を第１凹部２２ａに整合した際に、前記各第１の通孔３２ａと各第１の貫通孔２２ｂとが前後に整列するよう構成される。また、前記第１の連結金具３１は、該第１の連結金具３１と中枠２１との間に、前記第２軸孔３３ａに前記前枠７０の支軸７０ａを案内するガイド溝４０ａを形成したガイド部材４０を介装した状態で前記金属補強板５１にネジ止めされて(図１参照)、前枠７０の支軸７０ａを第２軸孔３３ａに容易に挿通し得るようになっている。なお、前記第１凹部２２ａには、ガイド部材４０の取付板４０ｂに整合すると共に該取付板４０ｂの前後方向の厚み寸法に略合致する段部２２ｃが形成されており、該段部２２ｃに取付板４０ｂを整合したもとで、前記第１の連結金具３１を前記金属補強板５１にネジ止めしている(図１３参照)。
【００２２】
(第２の連結金具について)
前記第２の連結金具４１は、図１または図７に示すように、前記中枠２１(設置盤２７)に当接する第２取付面４２と、該第２取付面４２の下端縁から前方に水平に延出する第２水平片部４３とから略Ｌ字状に形成されて、該第２水平片部４３に穿設された前記軸孔４３ａに、前記外枠１１の下支軸１３ｂを挿通することで外枠１１に対し中枠２１を枢支する第１の連結支持手段１７として機能している。すなわち、前記外枠１１に形成した前記下支軸１３ｂを前記第２の連結金具４１に形成した軸孔４３ａに挿入した状態で、該外枠１１に形成した前記上支軸１２ｂを前記第１の連結金具３１に形成した第１軸孔３５ａに挿入することにより、中枠２１が外枠１１に対し開閉し得るようになっている。ここで、第２の連結金具４１の軸孔４３ａに下支軸１３ｂを挿入した状態では、前記外枠１１を基準に観て、前記中枠２１を左寄り,手前寄りおよび右寄りの広範囲内での起立姿勢に適宜傾き(１０度以上)で支持し得るよう設定され、この状態で前記第１の連結金具３１の案内面３９を前記上支軸１２ｂに押圧して前記第１軸孔３５ａに上支軸１２ｂを挿入することにより、両部材１１,２２が組み付けられる。
【００２３】
また、前記第２取付面４２には、前後に貫通する第２の通孔４２ａが３箇所に穿設される一方、前記中枠２１(設置盤２７)の左下端部には、該第２の通孔４２ａ,４２ａ,４２ａと対応する位置に、前後方向に貫通する第２の貫通孔２７ｂ,２７ｂ,２７ｂを夫々穿設してある。そして、前記第２の連結金具４１の前側から前記第２の通孔４２ａ,４２ａ,４２ａに挿通したネジ６６,６６,６６を、前記中枠２１(設置盤２７)の第２の貫通孔２７ｂ,２７ｂ,２７ｂに挿通すると共に、前記金属補強板５１に形成した後述の第２のネジ孔５７ａ,５７ａ,５７ａに螺挿することにより、第２の連結金具４１を中枠２１の左下端部に固定するようになっている。なお、図１または図４に示すように、前記設置盤２７における左下端部には、前記第２の連結金具４１の第２取付面４２に略合致する第２凹部２７ａが凹設されており、該第２取付面４２を第２凹部２７ａに整合することにより、前記各第２の通孔４２ａと対応する第２の貫通孔２７ｂの夫々が前後に整列するようになっている。
【００２４】
(第３の連結金具について)
前記第３の連結金具４５は、図１、図８または図１３に示すように、前記中枠２１(遊技補助盤２８)に当接する第３取付面４６と、該第３取付面４６の上端縁から前方に向けて延出する上支持片４７と、第３取付面４６の下端縁から前方に向けて延出する下支持片４８とから断面略コ字状に形成されている。また、前記上支持片４７には、上方に向けて突出する第１支軸４７ａと、下方に向けて垂下する第２支軸４７ｂとが夫々形成され、前記下支持片４８には、上下方向に貫通する軸孔４８ａが形成される。
【００２５】
そして、前記前枠７０の左下端部に形成した軸孔７０ｂに、前記第１支軸４７ａを挿通すると共に、該前枠７０における左側部の上端部に突設した支軸７０ａを、前記第１の連結金具３１の前記第２軸孔３３ａに挿通することにより、当該前枠７０が前記中枠２１に対して開閉自在に枢支される。一方、前記上球皿７１の左上端部に形成した軸孔７１ａに、前記上支持片４７の第２支軸４７ｂを挿通すると共に、該上球皿７１の左下端部に形成した支軸７１ｂを、前記下支持片４８の軸孔４８ａに挿通することにより、当該上球皿７１が前記中枠２１に対して開閉自在に枢支されている。すなわち、前記第３の連結金具４６は、前記上球皿７１を枢支する前記第３の連結支持手段１９として機能すると共に、前記前枠７０を枢支する第２の連結支持手段１８としても機能している。
【００２６】
更に、前記第３取付面４６には、上下方向に所要間隔離間する位置に、前後に貫通する第３の通孔４６ａ,４６ａが穿設される一方、前記中枠２１(遊技補助盤２８)の左側部には、該第３の通孔４６ａ,４６ａと前後に整合する位置に、前後方向に貫通する第３の貫通孔２８ｂ,２８ｂが穿設されている。そして、前記第３の連結金具４５の前側から前記第３の通孔４６ａ,４６ａに挿通したネジ６６,６６を、前記中枠２１(遊技補助盤２８)の第３の貫通孔２８ｂ,２８ｂに挿通すると共に、前記金属補強板５１に形成した後述の第３のネジ孔５８ａ,５８ａに螺挿することにより、第３の連結金具４５を前記中枠２１の左側部に固定するようになっている。なお、図１または図４に示すように、前記遊技補助盤２８における左側部には、前記第３の連結金具４５の第３取付面４６に略合致する第３凹部２８ａが凹設されており、該第３取付面４６を第３凹部２８ａに整合することにより、前記各第３の通孔４６ａと第３の貫通孔２８ｂの夫々が前後に整列するようになっている。
【００２７】
(遊技盤保持部について)
図４に示すように、前記遊技盤保持部２３は、前記枠本体２２の略全幅に亘って開設されて、中枠２１(枠本体２２)における左枠部２５および右枠部２６の左右方向の厚み寸法は小さく設定され、前記遊技盤７３は、該遊技盤保持部２３の開口領域に略整合する大きさに形成される。なお、枠本体２２における上枠部２４、左枠部２５および右枠部２６の夫々の後端部からは、前記遊技盤保持部２３の開口内側に向けて所要長さだけ延在する支持部２９が形成されており、遊技盤保持部２３に配置した遊技盤７３の後面が、該支持部２９に当接することで、該遊技盤７３が遊技盤保持部２３の後方に脱落しないようになっている。
【００２８】
また、前記枠本体２２における左枠部２５の内側面２５ｃには、上下方向に所要距離だけ離間する位置に、金属製の第１の保持具(保持用金具)６２,６２が配設されると共に、前記遊技盤保持部２３の右側部側には、上下隅部近傍に第２の保持具(図示せず)が配設されて、該第１の保持具６２および第２の保持具により遊技盤７３の前方移動を規制して該遊技盤７３を遊技盤保持部２３に保持するよう構成される。なお、前記左枠部２５に形成された前記支持部２９の後面には、上下に離間する位置に前記金属補強板５１における後述の係合片(第１係合部)６０ａ,６０ａに係脱自在に係合する係合突部(第２係合部)２９ａ,２９ａが突設されている(図５または図１２参照)。
【００２９】
(第１の保持具について)
前記第１の保持具６２,６２は、前記左枠部２５に固定される枢支部材６２ａと、この枢支部材６２ａに回動自在に支持されて遊技盤７３の前方移動を規制し得る規制部材６２ｂとから構成される(図１、図９または図１０参照)。ここで、前記枢支部材６２ａは、図９または図１０前記左枠部２５の内側面２５ｃに当接する第４取付面６３と、該第４取付面６３の上下の端縁から遊技補助盤２８の開口内側に向け延在して、前記規制部材６２ｂを枢支する枢軸６５を支持する支持片６４,６４とから構成されて、該枢軸６５が上下方向に延在するよう該枢支部材６２ａが左枠部２５に固定される。
【００３０】
また、前記枢支部材６２ａの第４取付面６３には、図９または図１０に示すように、上下方向に離間する位置に左右方向に貫通する第４のネジ孔６３ａ,６３ａが穿設される一方、該左枠部２５(中枠２１)には、該第４のネジ孔６３ａ,６３ａと対応する位置に、左右方向に貫通する第４の貫通孔２５ｂ,２５ｂを穿設してある。そして、前記金属補強板５１に形成した第４の通孔５３ａ,５３ａ(後述)および前記第４の貫通孔２５ｂ,２５ｂに挿通した金属製のネジ(第２の固定具)６７,６７を、前記各第１の保持具６２に形成した前記第４のネジ孔６３ａ,６３ａに螺挿することにより、該第１の保持具６２が所定位置に固定される。また、図１、図４または図１０に示すように、前記左枠部２５(遊技盤保持部２３)の内側面２５ｃには、前記第１の保持具６２の枢支部材６２ａにおける上下の端縁部に対応する位置に、位置決め部２５ａ,２５ａが夫々突設されており、該位置決め部２５ａ,２５ａに枢支部材６２ａを整合させることで、前記各第４のネジ孔６３ａと第４の貫通孔２５ｂの夫々が左右に整列するようになっている。
【００３１】
(金属補強板について)
前記金属補強板５１は、図１または図１１に示すように、前記中枠２１における左側部側の裏側に、上下方向の略全長に亘って延在するよう配設され、該中枠２１の裏面に当接する第１面５２と、前記枠本体２２における第１の保持具６２の配設位置に対応する前記左枠部２５の外側面２５ｄ(図５または図１２参照)に当接する第２面５３とから略Ｌ字状に折り曲げ形成されている。また、前記第１面５２の左端縁部５４は、中枠２１の左側部に倣うよう折り曲げてある。
【００３２】
図１または図１１に示すように、前記金属補強板５１における上下の端部には、前記第１の連結金具３１および第２の連結金具４１の夫々に対応する位置に、前記中枠２１の裏面に沿って延在する第１取着面５６および第２取着面５７が設けられている。そして、前記第１取着面５６には、前記中枠２１の前記第１の貫通孔２２ｂ,２２ｂと前後に整列するよう前記第１のネジ孔５６ａ,５６ａが螺設されると共に、前記第２取着面５７には、中枠２１の前記第２の貫通孔２７ｂ,２７ｂ,２７ｂと前後に整列するよう前記第２のネジ孔５７ａ,５７ａ,５７ａが螺設されている。同様に、前記金属補強板５１における前記第３の連結金具４５に対応する位置には、前記中枠２１の裏面に沿って延在する第３取着面５８が形成され、前記中枠２１に穿設した前記第３の貫通孔２８ｂ,２８ｂと前後に整列する位置に、前記第３のネジ孔５８ａ,５８ａが螺設される。
【００３３】
すなわち、前記第１〜第３の連結金具３１,４１,４５に穿設した第１〜第３の通孔３２ａ,４２ａ,４６ａの夫々に前側から挿通したネジ６６,６６,６６は、前記第１〜第３の貫通孔２２ｂ,２７ｂ,２８ｂを介して対応する前記第１〜第３のネジ孔５６ａ,５７ａ,５８ａに螺挿され、該第１〜第３の連結金具３１,４１,４５の夫々を、金属補強板５１に連結固定するようになっている。なお、前記中枠２１の裏側における左下端部(図５において右下端部)には、後方に向けて突出するよう位置決め突部２１ａが形成されており、該位置決め突部２１ａを、前記金属補強板５１の第２取着面５７に穿設した通孔５７ｂに挿通させることで、該金属補強板５１を中枠２１の裏側の所定位置に位置決めし得るよう構成してある。
【００３４】
また、図９または図１１に示すように、前記金属補強板５１の第２面５３には、該第２面５３を前記左枠部２５の外側面２５ｄに当接した状態で、該左枠部２５に穿設した前記第４の貫通孔２５ｂ,２５ｂと左右に整列する位置に、左右方向に貫通する第４の通孔５３ａ,５３ａが穿設されている。そして、前記金属補強板５１における前記第２面５３の左側から前記第４の通孔５３ａ,５３ａに挿通したネジ６７,６７を、前記第４の貫通孔２５ｂ,２５ｂに挿通し、前記第１の保持具６２,６２に形成した前記第４のネジ孔６３ａ,６３ａに螺挿することで、該第１の保持具６２,６２が金属補強板５１に連結固定される。なお、前記金属補強板５１における前記第４の通孔５３ａ,５３ａの螺設位置には、前記左枠部２５の外側面２５ｄおよび前記支持部２９に沿って延在する折曲片６０,６０が夫々形成されると共に、該折曲片６０,６０の端部に前記係合片６０ａ,６０ａが上下方向に延在するよう形成されて、金属補強板５１を中枠２１の裏側に配設した際に、該係合片６０ａ,６０ａの夫々が、前記係合突部２９ａ,２９ａの右側(図５における左側)に係合するようになっている。
【００３５】
〔実施例の作用〕
次に、本実施例に係る遊技機の作用につき説明する。
【００３６】
前記中枠２１に対する前記第１〜第３の連結金具３１,４１,４５の組み付け態様について説明する。前記金属補強板５１の第２取着面５７に穿設した前記通孔５７ｂを、前記中枠２１における裏側の左下端部に突設した前記位置決め突部２１ａに挿通させて、該金属補強板５１を中枠２１の裏側に位置決めし、金属補強板５１の第２面５３を前記左枠部２５の外側面２５ｄに当接することで、当該金属補強板５１の第１〜第３のネジ孔５６ａ,５７ａ,５８ａが、対応する中枠２１の第１〜第３の貫通孔２２ｂ,２７ｂ,２８ｂと、前後方向に整列する。この状態で、前記枠本体２２(中枠２１)における前側の左上端部に形成した前記段部２２ｃに前記ガイド部材４０の取付板４０ｂを整合すると共に、前記第１凹部２２ａに前記第１の連結金具３１の第１取付面３２を整合する。そして、前記第１の連結金具３１の前側から前記第１取付面３２に穿設した前記第１の通孔３２ａ,３２ａの夫々に挿通したネジ６６,６６を、前記枠本体２２(中枠２１)の第１の貫通孔２２ｂ,２２ｂに挿通して、前記金属補強板５１の第１のネジ孔５６ａ,５６ａに螺挿することで、該第１の連結金具３１が枠本体２２(中枠２１)の左上端部にネジ止めされる。
【００３７】
同様に、前記設置盤２７(中枠２１)における前側の左下端部に形成した前記第２凹部２７ａに、前記第２の連結金具４１の第２取付面４２を整合させ、該第２の連結金具４１の前側から第２取付面４２に穿設した前記第２の通孔４２ａ,４２ａ,４２ａの夫々にネジ６６,６６,６６を挿通して、設置盤２７(中枠２１)に穿設した第２の貫通孔２７ｂ,２７ｂ,２７ｂに挿通し、該ネジ６６,６６,６６を前記金属補強板５１の第２のネジ孔５７ａ,５７ａ,５７ａに螺挿することで、第２の連結金具４１が設置盤２７(中枠２１)の左下端部にネジ止めされる。更に、前記遊技補助盤２８(中枠２１)における前側の左側部に形成した前記第３凹部２８ａに、前記第３の連結金具４５の第３取付面４６を整合させ、該第３の連結金具４６の前側から第３取付面４６に穿設した前記第３の通孔４６ａ,４６ａの夫々にネジ６６,６６を挿通して、遊技補助盤２８(中枠２１)に穿設した第３の貫通孔２８ｂ,２８ｂに挿通し、該ネジ６６,６６を前記金属補強板５１の第３のネジ孔５８ａ,５８ａに螺挿することで、第３の連結金具４６が遊技補助盤２８(中枠２１)の左側部にネジ止めされる。
【００３８】
すなわち、前記第１〜第３の連結金具３１,４１,４５および前記金属補強板５１の夫々は、前記中枠２１を挟んだ状態でネジ止めするようになっている。このように、前記第１〜第３の連結金具３１,４１,４５の夫々を、前記中枠２１に対してネジ止めしていないから、各連結金具３１,４１,４５で枢支する前記前枠７０や上球皿７１の重量が増大した場合であっても、中枠２１が損傷することはない。また、前記第１〜第３の連結金具３１,４１,４５の夫々を、樹脂成形した前記中枠２１にネジ止めすることなく、前記金属補強板５１にネジ止めすることにより、該ネジ孔５６ａ,５７ａ,５８ａが損傷等するのは防止され、該ネジ６６が緩むことはない。
【００３９】
そして、金属製の前記第１〜第３の連結金具３１,４１,４５と金属補強板５１とを、金属製のネジ６６で固定したことで、中枠２１の所定位置に第１〜第３の連結金具３１,４１,４５と金属補強板５１の夫々を強固に固定し得るから、第１〜第３の連結金具３１,４１,４５のガタツキや、金属補強板５１が中枠２１から離間するのは防止し得る。従って、前記前枠７０や上球皿７１を前記中枠２１に対して安定して枢支し得ると共に、中枠２１の左側部の肉厚を小さくした場合でも、中枠２１に必要な強度を維持して反りや捻れ等が生ずるのは防止できる。また、前記金属補強板５１を単にネジ６６で固定するだけなので、前述した所謂インサート成形のように中枠２１の成形工程を複雑化することなく、成形工程を簡略化してコストを低廉に抑制し得る。
【００４０】
次に、前記第１の保持具６２,６２の組み付け態様について説明する。前述のように前記金属補強板５１の第２取着面５７に穿設した前記通孔５７ｂを、前記中枠２１の前記位置決め突部２１ａに挿通させ、該金属補強板５１の第２面５３を前記左枠部２５の外側面２５ｄに当接することにより、当該金属補強板５１の第４の通孔５３ａが、対応する左枠部２５(中枠２１)の第４の貫通孔２５ｂと、左右方向に整列する。この状態で、前記左枠部２５の内側面２５ｃに形成した前記位置決め部２５ａ,２５ａに前記各第１の保持具６２の第４取付面６３を整合して位置決めする。そして、前記金属補強板５１の左側から前記第２面５３に穿設した前記第４の通孔５３ａ,５３ａの夫々に挿通したネジ６７,６７を、前記左枠部２５の第４の貫通孔２５ｂ,２５ｂに挿通して、前記各第１の保持具６２の第４のネジ孔６３ａ,６３ａに螺挿することで、各第１の保持具６２が左枠部２５の内側面２５ｃにネジ止めされる。
【００４１】
このように、前記左枠部２５の内側面２５ｃに配置した前記第１の保持具６２,６２を、該左枠部２５の外側面２５ｄに当接する前記金属補強板５１にネジ止めするようにしたことで、該第１の保持具６２,６２にガタツキ等が生ずるのは防止でき、該遊技盤保持部２３に遊技盤７３を安定して保持することが可能である。また、前記左枠部２５の外側面２５ｄに、前記金属補強板５１の第２面５３が当接するようにしたので、該左枠部２５に必要な強度を維持することができ、中枠２１に反りや捻れ等が生ずるのを防止し得る。更に、前記金属補強板５１に形成した係合片６０ａ,６０ａが、前記左枠部２５の後端部から延在する前記支持部２９の裏側に形成した前記係合突部２９ａ,２９ａに係合するから、該左枠部２５(中枠２１)が遊技盤保持部２３の開口内側に反るのは防止される。すなわち、前記遊技盤保持部２３の開口領域を一定に保ち得るから、該遊技盤保持部２３への遊技盤７３の着脱作業が困難になることはない。
【００４２】
また、前記金属補強板５１を、前記中枠２１の裏面に当接する第１面５２と左枠部２５の外側面２５ｄに当接する第２面５３とから略Ｌ字状に形成したから、該金属補強板５１の剛性を向上して、中枠２１の強度をより一層向上することが可能である。すなわち、前記パチンコ機１０に故障等の不具合が生じた際に、前記第１の連結支持手段１７を介して前記外枠１１に対して中枠２１を開放すると、該第１の連結支持手段１７の配置位置である中枠２１の左枠部２５に重量負担が掛かることになるが、該左枠部２５に前記金属補強板５１を配設して中枠２１の強度を向上したから、当該中枠２１に歪みや捻れ等が生ずるのは防止される。
【００４３】
そして、前述したように、前記金属補強板５１に形成した通孔５７ｂに、前記中枠２１に形成した前記位置決め突部２１ａを挿通させることで該金属補強板５１を中枠２１に位置決めし得ると共に、前記第１〜第３の連結金具３１,４１,４５の夫々を、前記第１〜第３凹部２２ａ,２７ａ,２８ａの夫々に整合するだけで位置決めし得るよう構成したから、該金属補強板５１と第１〜第３の連結金具３１,４１,４５との組み付け作業を簡略化して作業時間を短縮できる。更に、前記第１〜第３の連結金具３１,４１,４５と、前記金属補強板５１とを前記中枠２１に位置決めした際に、各連結金具３１,４１,４５の通孔３２ａ,４２ａ,４６ａと、中枠２１の貫通孔２２ｂ,２７ｂ,２８ｂおよび金属補強板５１のネジ孔５６ａ,５７ａ,５８ａとが夫々対応的に前後に整列するようにしたから、組み付け作業をより簡単に行ない得る。同様に、前記各第１の保持具６２の夫々を前記左枠部２５の内側面２５ｃに形成した前記位置決め部２５ａ,２５ａに整合して位置決めするだけで、該第１の保持具６２の第４のネジ孔６３ａと、中枠２１の第４の貫通孔２５ｂおよび金属補強板５１の第４の通孔５３ａが夫々左右に整列するよう構成したから、組み付け作業の作業効率を向上し得る。
【００４４】
なお、実施例の第１の連結金具３１は、前記外枠１１に対して前記中枠２１を支持する第１の連結支持手段１７として機能すると共に、該中枠２１に対して前枠７０を支持する第２の連結支持手段１８としても機能するよう構成してあるから、夫々独立した部材を配設する場合に較べ、部品点数を削減してコストを低廉に抑え得ると共に、組み付け作業の負担を軽減することができる。
【００４５】
また、前記第３の連結金具４５についても、前記中枠２１に対して前枠７０を枢支する第２の連結支持手段１８として機能すると共に、該中枠２１に対して前記上球皿７１を支持する第３の連結支持手段１９として機能するよう構成したことにより、夫々独立した部材を配設する場合に較べ、部品点数を削減してコストを低廉に抑え得ると共に、組み付け作業に掛かる負担を軽減し得る。更に、前記上球皿７１の軸孔７１ａおよび支軸７１ｂを枢支する前記第２支軸４７ｂおよび軸孔４８の夫々を単一の第３の連結金具４５に形成したことによっても、部品点数を削減してコストを低廉に抑え得ると共に、組み付け作業に掛かる負担を軽減し得る利点がある。
【００４６】
〔変更例〕
なお、遊技機の構成としては、実施例のものに限らず、種々の変更が可能である。例えば、実施例では、金属補強板を単一の部材で構成するようにしたが、複数の部材で構成するようにしてもよく、固定具を介して連結金具と固定するようにすればよい。また、前記中枠の左側部における裏側の上下の全長に亘って延在するよう前記金属補強板を配設したが、所要の範囲だけ延在させることもできる。更に、前記金属補強板を、前記中枠の裏面に当接する第１面と、左枠部の外側面に当接する第２面とから略Ｌ字状に形成したが、該中枠の裏面または左枠部の外側面の何れか一方の面にのみ当接するよう形成してもよい。
【００４７】
また、前記金属補強板を配設する位置としては、中枠の左側部に限られるものではなく、前記前枠や上球皿を枢支する連結金具の配設位置に対応する位置であれば、該中枠の右側部や上部側に配置することもでき、金属補強板と前記連結金具とを中枠を挟む状態で固定具により連結固定し得る位置に配設すればよい。更に、遊技盤を保持する保持用金具としては、中枠の内側面に配設されて遊技盤を保持する構成のものであれば、その形状や配置位置、構成等は実施例のものに限られるものではない。なお、前記金属補強板と前記連結金具とを固定する固定具として、実施例ではネジを使用するようにしたが、ビスやボルト・ナット等の従来公知の固定具を使用することが可能である。
【００４８】
そして、前記金属補強板と連結固定する連結金具の形状、配置位置、構成等についても、実施例のものに限らず、所要に応じて変更することができる。また、実施例では、前記中枠に前枠および上球皿を開閉可能に枢支するよう構成したが、下球皿を中枠に対し開閉するようにすることも可能であり、この場合には、該下球皿を枢支する連結金具も金属補強板に連結固定するよう構成すれば、実施例と同様の作用効果を得られる。すなわち、連結金具を介して各種構成部材を中枠に開閉可能に枢支し、中枠を挟んだ状態で該連結金具を金属補強板に連結固定するよう構成すればよい。なお、遊技機としては、パチンコ機に限られるものではなく、アレンジボール機等であってもよく、外枠に対し開閉可能に枢支される中枠と、各種構成部材を中枠に開閉可能に枢支する連結金具または遊技盤を保持する保持用金具と、中枠の裏面に配設される金属補強板とを備えた遊技機であれば、何れの遊技機であっても採用し得る。
【００４９】
〔付記〕
また、本発明の具体的構成としては、以下のような限定が可能である。
請求項２または３記載の遊技機に関して、前記金属補強板は、前記中枠の外側面から該中枠の後端面に向けて折り曲げられて、端縁部に第１係合部を有する折曲片を有し、前記中枠は、その後端面に前記第１係合部と係脱自在に係合し得る第２係合部を有し、前記第１係合部と第２係合部とを係合した状態で、前記中枠の裏側に前記金属補強板を位置決めするよう構成する。
このように、前記金属補強板に形成した第１係合部と、前記中枠の後端面に形成した第２係合部とを係合することで、該中枠が内側に反るのは防止される。
【図面の簡単な説明】
【００５０】
【図１】本発明の実施例に係る中枠と、第１〜第３の連結金具と、金属補強板とを分解した状態で示す斜視図である。
【図２】実施例に係るパチンコ機を示す正面図である。
【図３】実施例に係る外枠を示す正面図である。
【図４】実施例に係る中枠を示す正面図である。
【図５】実施例に係る中枠に金属補強板を組み付けた状態を示す背面図である。
【図６（ａ）】実施例に係る第１の連結金具を示す平面図である。
【図６（ｂ）】実施例に係る第１の連結金具を示す正面図である。
【図７】実施例に係る第２の連結金具を示す斜視図である。
【図８】実施例に係る第３の連結金具を示す正面図である。
【図９】実施例に係る金属補強板と第１の保持具とを組み付ける状態を拡大して示す横断平面図である。
【図１０】実施例に係る中枠と、第１の保持具と、金属補強板とを分解した状態で示す斜視図である。
【図１１】実施例に係る金属補強板を示す斜視図である。
【図１２】実施例に係る中枠に金属補強板を組み付けた状態を示す側面図である。
【図１３】実施例に係る各連結金具と前枠および上球皿の連結形態を概略で示す要部拡大図である。
【符号の説明】
【００５１】
１１  外枠
１７  第１の連結支持手段(ヒンジ機構)
２１  中枠
２３  遊技盤保持部(保持部)
２５ｃ  内側面
２５ｄ  外側面
３１  第１の連結金具
４１  第２の連結金具
４５  第３の連結金具
５１  金属補強板
５２  第１面
５３  第２面
６２  第１の保持具(保持用金具)
６６  ネジ(第１の固定具)
６７  ネジ(第２の固定具)
７０  前枠  
７１  上球皿
７３  遊技盤
【図１】
2005073929.tif 000003
【図２】
2005073929.tif 000004
【図３】
2005073929.tif 000005
【図４】
2005073929.tif 000006
【図５】
2005073929.tif 000007
【図６（ａ）】
2005073929.tif 000008
【図６（ｂ）】
2005073929.tif 000009
【図７】
2005073929.tif 000010
【図８】
2005073929.tif 000011
【図９】
2005073929.tif 000012
【図１０】
2005073929.tif 000013
【図１１】
2005073929.tif 000014
【図１２】
2005073929.tif 000015
【図１３】
2005073929.tif 000016